(57)【特許請求の範囲】
【請求項１】
隣り合う２つの開閉可能な第１のカバー及び第２のカバーを有する携帯端末において、
上記第１のカバーには、該第１のカバーを開くための指掛用切欠が切り欠かれており、
上記第２のカバーは、上記指掛用切欠に隣接するように設けられ、
上記第１のカバーを開くことなく、上記第２のカバーを上記指掛用切欠を利用して開くことができるように構成されている
ことを特徴とする携帯端末。
【請求項２】
請求項１に記載の携帯端末において、
上記第１のカバーは、上記第２のカバーよりも大きい
ことを特徴とする携帯端末。
【請求項３】
請求項１又は２に記載の携帯端末において、
上記第１のカバーと上記第２のカバーとが略垂直に配置されている
ことを特徴とする携帯端末。
【請求項４】
請求項１乃至３のいずれか１つに記載の携帯端末において、
上記第１のカバーは、背面を覆うリアカバーであり、
上記第２のカバーは、防水構造の接続端子用カバーである
ことを特徴とする携帯端末。
【発明の詳細な説明】
【技術分野】
【０００１】
本発明は、隣り合う２つの開閉可能なカバーを有する携帯端末に関するものである。
【背景技術】
【０００２】
従来より、隣り合う２つの開閉可能なカバーを有する携帯端末において、それぞれのカバーに切欠等を設けてカバーを開閉可能にすることが知られている（例えば、特許文献１参照）。この種の携帯端末では、図９に示すように、携帯端末１０１は、リアカバー１０４を開けるために、リアカバー１０４の一端に第１の切欠１０８ａを有すると共に、接続端子用カバー１０７を開けるために、筐体１０３に凹陥した第２の切欠１０８ｂも有している。
【０００３】
また、例えば図１０に示す携帯端末２０１のように、リアカバー２０４を開ける前に、筐体２０３に凹陥した切欠２０８を利用して接続端子用カバー２０７を開けた後、リアカバー２０４を開けるように構成されたものもある。
【先行技術文献】
【特許文献】
【０００４】
【特許文献１】特開２００７−３１８５０７号公報
【発明の概要】
【発明が解決しようとする課題】
【０００５】
しかしながら、図９のような携帯端末では、リアカバー１０４と接続端子用カバー１０７とでそれぞれ切欠１０８ａ，１０８ｂを設けているので見映えが悪いという問題がある。
【０００６】
一方、切欠を減らしたとしても、図１０の携帯端末２０１のように、リアカバー２０４を開けるために切接続端子用カバー２０７を開けなければならないのでは、開閉動作が極めて面倒であるという問題がある。
【０００７】
本発明は、かかる点に鑑みてなされたものであり、その目的とするところは、１つの切欠で簡単に複数のカバーを開くことができるようにすることにある。
【課題を解決するための手段】
【０００８】
上記の目的を達成するために、この発明では、一方のカバーにのみ兼用の切欠を設けた。
【０００９】
具体的には、第１の発明では、隣り合う２つの開閉可能な第１のカバー及び第２のカバーを有する携帯端末を前提とする。
【００１０】
そして、上記第１のカバーには、該第１のカバーを開くための指掛用切欠が切り欠かれており、
上記第２のカバーは、上記指掛用切欠に隣接するように設けられ、
上記第１のカバーを開くことなく、上記第２のカバーを上記指掛用切欠を利用して開くことができるように構成されている。
【００１１】
上記の構成によると、指掛用切欠は、第１のカバーにしかないので、見映えがよく、この第１のカバーを開くための指掛用切欠を利用すれば、第１のカバーを開くことなく、第２のカバーを開くことができるので、第２のカバーの開閉作業も容易である。
【００１２】
第２の発明では、第１の発明において、
上記第１のカバーは、上記第２のカバーよりも大きい構成とする。
【００１３】
上記の構成によると、第２のカバーに切欠を設ける必要がないので、第２のカバーが小さくてスペースが限られていても、第１のカバーに設けた指掛用切欠により第２のカバーの開閉を容易に行うことができる。
【００１４】
第３の発明では、第１又は第２の発明において、
上記第１のカバーと上記第２のカバーとが略垂直に配置されている。
【００１５】
上記の構成によると、指掛用切欠を角部に設けることができるので、いずれのカバーを開く場合でも、指掛用切欠に指を掛けやすい。
【００１６】
第４の発明では、第１乃至第３のいずれか１つの発明において、
上記第１のカバーは、背面を覆うリアカバーであり、
上記第２のカバーは、防水構造の接続端子用カバーである。
【００１７】
上記の構成によると、第２のカバーに切欠を設ける必要がないので、小さな第２のカバーであっても、防水機能の高い防水用パッキンを設けやすい。
【発明の効果】
【００１８】
以上説明したように、本発明によれば、第１のカバーに指掛用切欠を設け、この指掛用切欠に第２のカバーを隣接させたので、１つの切欠で簡単に２つのカバーを開くことができる。
【図面の簡単な説明】
【００１９】
【図１】図３のＩ−Ｉ線拡大断面図である。
【図２】本発明の実施形態にかかる携帯電話機を示す正面図である。
【図３】携帯電話機の側面図である。
【図４】携帯電話機を背面側から見た斜視図である。
【図５】携帯電話機の端子用カバー及びリアカバーを分解した斜視図である。
【図６】図４のVI部拡大斜視図である。
【図７】リアカバーを正面側から見た斜視図である。
【図８】端子用カバーを拡大して示し、（ａ）が背面図で、（ｂ）が平面図である。
【図９】従来技術を示す斜視図である。
【図１０】別の従来技術を示す斜視図である。
【発明を実施するための形態】
【００２０】
以下、本発明の実施形態を図面に基づいて説明する。
【００２１】
図２〜図５は、本発明の実施形態の携帯端末としての携帯電話機１を示し、この携帯電話機１は、例えば正面にタッチパネルを有する表示部２が設けられた矩形板状の筐体３を有する。
【００２２】
携帯電話機１は、背面側に第１のカバーとしてのリアカバー４を有し、このリアカバー４は、筐体３の背面側のほぼ全体を覆っている。リアカバー４の下側に該当する位置に矩形板状のバッテリー５が収容されている。
【００２３】
そして、筐体３の左側面には、データ入出力用の接続端子６が設けられており、この接続端子６が第２のカバーとしての接続端子用カバー７で覆われている。リアカバー４と接続端子用カバー７とは、略垂直に配置されている。
【００２４】
図６に拡大して示すように、リアカバー４の接続端子用カバー７と隣接する位置には、指掛用切欠８が切り欠かれている。この指掛用切欠８は、長手方向中央が、接続端子用カバー７の長手方向中央と一致する略円弧形に切り欠かれている。指掛用切欠８の形状は、これに限定されず、側面から見て三角形、矩形等でもよい。
【００２５】
図７に示すように、リアカバー４のバッテリー５に対応する部分には、矩形枠状に防水リブ９が立設されている。これにより、仮に指掛用切欠８から液体が侵入しても、バッテリー５側へ流入しないようになっている。このため、指掛用切欠８の近傍に指掛用切欠８のための防水パッキンを設ける必要がない。
【００２６】
図８に拡大して示すように、接続端子用カバー７は、リアカバー４に比べると格段に小さく、裏面側に接続端子６側へ液体が浸入しないように長円型の防水パッキン１０が設けられている。防水パッキン１０の形状はこれに限定されず、接続端子６の形状に合わせて円形、矩形等としてもよい。また、連結部１１を接続端子６の周縁の係止孔６ａに挿入して、その鉤部１１ａを引っ掛けることで、接続端子用カバー７が抜け止めされるようになっている。
【００２７】
このように構成された携帯電話機１では、接続端子用カバー７を開く場合には、リアカバー４側に切り欠いた指掛用切欠８に爪を引っ掛けて接続端子用カバー７を引き剥がすように手前に開けばよく、リアカバー４自体は開く必要がない。また、リアカバー４は開かなくてよいので、接続端子用カバー７の開閉作業が極めて容易である。
【００２８】
一方、リアカバー４を開くには、直接指掛用切欠８に指を掛けてリアカバー４を引き剥がすように開けばよく、前もって接続端子用カバー７を開く必要はないので、開閉動作が容易である。
【００２９】
また、リアカバー４と接続端子用カバー７とが略垂直に配置されていることから、指掛用切欠８を角部に設けることができるので、いずれのカバー４，７を開く場合でも、指掛用切欠８に指を掛けやすい。
【００３０】
さらに、指掛用切欠８は、リアカバー４にしかないので、見映えがよい。また、指掛用切欠８を接続端子用カバー７よりも大きいリアカバー４にのみ設け、接続端子用カバー７に切欠を設ける必要がないので、接続端子用カバー７に防水機能の高い防水用パッキンを設けるためのスペースを確保しやすい。
【００３１】
したがって、本実施形態にかかる携帯端末によると、リアカバー４に指掛用切欠８を設け、この指掛用切欠８に接続端子用カバー７を隣接させたので、１つの指掛用切欠８で簡単に２つのカバー４，７のいずれも開くことができる。
【００３２】
（その他の実施形態）
本発明は、上記実施形態について、以下のような構成としてもよい。
【００３３】
すなわち、上記実施形態では、第１のカバーをリアカバー４とし、第２のカバーを接続端子用カバー７とし、これらが垂直に設けられているとしたが、これに限定されず、両方のカバーを同一平面上に隣接して設けてもよく、これらのカバーの用途は特に制限されない。また、必ずしも防水構造を有してなくてもよい。さらに、場合によっては、１つの指掛用切欠８で３つ以上のカバーを開くようにしてもよい。
【００３４】
上記実施形態では、携帯端末は、携帯電話機１としたが、２つの隣接するカバーを有するものであれば、ＰＨＳ（Personal Handy-phone System）、ＰＤＡ(PersonalDigital Assistant)、スマートフォン、パソコン、モバイルツール、電子辞書、電卓、ゲーム機等であってもよい。
【００３５】
なお、以上の実施形態は、本質的に好ましい例示であって、本発明、その適用物や用途の範囲を制限することを意図するものではない。
【産業上の利用可能性】
【００３６】
以上説明したように、本発明は、隣り合う２つの開閉可能なカバーを有する携帯電話機等の携帯端末について有用である。
【符号の説明】
【００３７】
１      携帯電話機（携帯端末）
２      表示部
３      筐体
４      リアカバー
５      バッテリー
６      接続端子
７      接続端子用カバー
８      指掛用切欠
９      防水リブ
１０      防水パッキン
１１      連結部
１１ａ    鉤部
【図１】
0005941748.tif 000002
【図２】
0005941748.tif 000003
【図３】
0005941748.tif 000004
【図４】
0005941748.tif 000005
【図５】
0005941748.tif 000006
【図６】
0005941748.tif 000007
【図７】
0005941748.tif 000008
【図８】
0005941748.tif 000009
【図９】
0005941748.tif 000010
【図１０】
0005941748.tif 000011